(57)【要約】【課題】本発明は、電子回路に故障が発生したときに外部電源から電子回路への電力供給を遮断することができる携帯端末装置を提供することを目的とする。【解決手段】本発明の携帯端末装置１は、外部ＡＣ電源２からの電力供給が可能な携帯端末装置１であって、電子回路と、その電子回路の少なくとも一箇所における異常動作を検出する検出回路１１１、１２３、１２４と、外部ＡＣ電源２とその電子回路とを接続する電力伝送路の一部を開放または短絡する第１スイッチ１１４と、検出回路１１１、１２３、１２４により異常動作を検出したときに、第１スイッチ１１４を開放するよう切り替える第２制御回路１１２と、を備えるものである。【選択図】図１
2008099452.tif 000002
【特許請求の範囲】
【請求項１】
外部電源からの電力供給が可能な携帯端末装置であって、
電子回路と、
前記電子回路の少なくとも一箇所における異常動作を検出する検出部と、
前記外部電源と前記電子回路とを接続する電力伝送路の一部を開放または短絡する第１の切替部と、
前記検出部により異常動作を検出したときに、前記第１の切替部を開放するよう切り替える切替制御部と、
を備える携帯端末装置。
【請求項２】
請求項１記載の携帯端末装置であって、
外部電源から供給される電力によって充電する二次電池と、
前記二次電池と前記電子回路とを接続する電力伝送路の一部を開放または短絡する第２の切替部を備え、
前記切替制御部は、前記検出部により異常動作を検出したときに、前記第２の切替部を開放するよう切り替える、
携帯端末装置。
【請求項３】
請求項１または２記載の携帯端末装置であって、
複数の前記検出部を備え、
前記切替制御部は、少なくとも一つの前記検出部により異常動作を検出したときに、少なくとも前記第１の切替部および前記第２の切替部の一方、または両方を開放するよう切り替える、
携帯端末装置。
【請求項４】
請求項１から３のいずれか１項に記載の携帯端末装置であって、
前記切替制御部は、前記検出部が異常動作を所定の期間検出し続けた場合、少なくとも前記第１の切替部および前記第２の切替部の一方、または両方を開放するよう切り替える、
携帯端末装置。
【請求項５】
請求項１から４のいずれか１項に記載の携帯端末装置であって、
検出動作を行わせるための電力を前記二次電池から前記検出部に間欠的に供給する電力供給制御部を備え、
前記検出部は、前記電力供給制御部から電力を供給されている期間、異常動作を検出する、
携帯端末装置。
【請求項６】
請求項５記載の携帯端末装置であって、
複数の前記検出部を備え、
前記電力供給制御部は、前記二次電池から前記検出部それぞれに、任意の時点において前記二次電池が二つ以上の前記検出部に供給することがないように切り替えて、間欠的に供給する、
携帯端末装置。
【請求項７】
請求項１から６のいずれか１項に記載の携帯端末装置であって、
安定化電源を備え、
前記安定化電源は、前記二次電池から入力した電力を、検出動作を行わせるための電力として、前記検出部に出力する、
携帯端末装置。
【請求項８】
請求項１から７のいずれか１項に記載の携帯端末装置であって、
前記検出部と、当該検出部により異常動作を検出すべき箇所と、の間に配置されたローパスフィルタを備える携帯端末装置。
【請求項９】
請求項１から８のいずれか１項に記載の携帯端末装置であって、
前記検出部により検出した異常動作の種別を記憶する記憶部を備える携帯端末装置。
【請求項１０】
電子回路に発生する異常動作を検出する異常動作検出回路であって、
前記電子回路の少なくとも一箇所における異常動作を検出する検出部と、
外部電源と前記電子回路とを接続する電力伝送路の一部を開放または短絡する第１の切替部と、
前記検出部により異常動作を検出したときに、前記第１の切替部を開放するよう切り替える切替制御部と、
を備える異常動作検出回路。
【請求項１１】
請求項１０記載の異常動作検出回路であって、
外部電源から供給される電力によって充電する二次電池と、前記電子回路と、を接続する電力伝送路の一部を開放または短絡する第２の切替部を備え、
前記切替制御部は、前記検出部により異常動作を検出したときに、前記第２の切替部を開放するよう切り替える、
異常動作検出回路。
【請求項１２】
請求項１０または１１記載の異常動作検出回路であって、
複数の前記検出部を備え、
前記切替制御部は、少なくとも一つの前記検出部により異常動作を検出したときに、少なくとも前記第１の切替部および前記第２の切替部の一方、または両方を開放するよう切り替える、
異常動作検出回路。
【請求項１３】
請求項１０から１２のいずれか１項に記載の異常動作検出回路であって、
前記切替制御部は、前記検出部が異常動作を所定の期間検出し続けた場合、少なくとも前記第１の切替部および前記第２の切替部の一方、または両方を開放するよう切り替える、
異常動作検出回路。
【請求項１４】
請求項１０から１３のいずれか１項に記載の異常動作検出回路であって、
検出動作を行わせるための電力を前記二次電池から前記検出部に間欠的に供給する電力供給制御部を備え、
前記検出部は、前記電力供給制御部から電力を供給されている期間、異常動作を検出する、
異常動作検出回路。
【請求項１５】
請求項１４記載の異常動作検出回路であって、
複数の前記検出部を備え、
前記電力供給制御部は、前記二次電池から前記検出部それぞれに、任意の時点において前記二次電池が二つ以上の前記検出部に供給することがないように切り替えて、間欠的に供給する、
異常動作検出回路。
【請求項１６】
請求項１０から１５のいずれか１項に記載の異常動作検出回路であって、
安定化電源を備え、
前記安定化電源は、前記二次電池から入力した電力を、検出動作を行わせるための電力として、前記検出部に出力する、
異常動作検出回路。
【請求項１７】
請求項１０から１６のいずれか１項に記載の異常動作検出回路であって、
前記検出部と、当該検出部により異常動作を検出すべき箇所と、の間に配置されたローパスフィルタを備える異常動作検出回路。
【請求項１８】
請求項１０から１７のいずれか１項に記載の異常動作検出回路であって、
前記検出部により検出した異常動作の種別を記憶する記憶部を備える異常動作検出回路。
【請求項１９】
電子回路に発生する異常動作を検出するための異常動作検出回路による電力供給制御方法であって、
前記電子回路の少なくとも一箇所における異常動作を検出し、
前記異常動作を検出したときに、外部電源と前記電子回路とを接続する電力伝送路の一部を開放する、
電力供給制御方法。
【請求項２０】
請求項１９記載の電力供給制御方法であって、
前記異常動作を検出したときに、外部電源から供給される電力によって充電する二次電池と前記電子回路とを接続する電力伝送路の一部を開放する、
電力供給制御方法。
【請求項２１】
請求項１９または２０記載の電力供給制御方法であって、
前記電子回路の複数箇所における異常動作を検出し、
少なくとも一箇所における異常動作を検出したときに、前記外部電源と前記電子回路とを接続する電力伝送路の一部、および外部電源から供給される電力によって充電する二次電池と前記電子回路とを接続する電力伝送路の一部の一方、または両方を開放するよう切り替える、
電力供給制御方法。
【請求項２２】
請求項１９から２１のいずれか１項に記載の電力供給制御方法であって、
異常動作を所定の期間検出し続けた場合、前記外部電源と前記電子回路とを接続する電力伝送路の一部、および外部電源から供給される電力によって充電する二次電池と前記電子回路とを接続する電力伝送路の一部の一方、または両方を開放するよう切り替える、
電力供給制御方法。
【請求項２３】
請求項１９から２２のいずれか１項に記載の電力供給制御方法であって、
前記二次電池から、電子回路に発生する異常動作を検出する検出部に検出動作を行わせるための電力を間欠的に供給し、
電力が供給されている期間、前記検出部が異常動作を検出する、
電力供給制御方法。
【請求項２４】
請求項２３記載の電力供給制御方法であって、
複数の前記検出部それぞれに、任意の時点において前記二次電池から二つ以上の前記検出部に供給することがないように切り替えて、間欠的に供給する、
電力供給制御方法。
【請求項２５】
請求項１９から２４のいずれか１項に記載の電力供給制御方法であって、
前記二次電池から安定化電源に電力を入力し、
前記安定化電源が、電子回路に発生する異常動作を検出する検出部に検出動作を行わせるための電力を出力する、
電力供給制御方法。
【請求項２６】
請求項１９から２５のいずれか１項に記載の電力供給制御方法であって、
電子回路に発生する異常動作を検出する検出部と、当該検出部により異常動作を検出すべき箇所と、の間に配置されたローパスフィルタを備える電力供給制御方法。
【請求項２７】
請求項１９から２６のいずれか１項に記載の電力供給制御方法であって、
検出した異常動作の種別を記憶する電力供給制御方法。
【発明の詳細な説明】
【技術分野】
【０００１】
本発明は、装置に備わる電子回路に動作異常が発生したときに、その電子回路への電力供給を停止する携帯端末装置、異常動作検出回路および電力供給制御方法に関する。
【背景技術】
【０００２】
従来の携帯端末装置の中には、携帯端末装置内部に搭載された電子回路に、配線の短絡、開放、回路を構成する各種部品の故障などによって発生する動作異常を検出すると、携帯端末装置に備わる二次電池からの電子回路への電力供給を遮断するものがある（例えば、特許文献１、２）。図１１に、二次電池からの電力供給を遮断する機能を有する、従来の携帯端末装置における機能ブロック図を示す。
【０００３】
従来の携帯端末装置５に搭載される電子回路は、ＡＣ電源端子５１、バッテリ電源端子５２、バッテリ電流検出回路５２３、温度検出回路５２４、制御回路５２５、スイッチ５２６、二次電池５３、サーミスタ５４ｎ（ｎ＝１、２、…Ｎ）、を含んで構成される。電子回路は、二次電池５３から供給される電力Ｖｂａｔまたは外部ＡＣ電源６から供給される電力Ｖａｃによって駆動し、携帯端末装置に備わる各種機能を実行する。バッテリ電流検出回路５２３は、二次電池５３から電子回路に電力を供給するためのバッテリ電源端子５２における電流値Ｉｂａｔを検出し、その検出した電流値Ｉｂａｔがある閾値を越えている期間において、異常電流を検出したことを示すＩｂａｔ  ＤＥＴを制御回路５２５に出力する。温度検出部回路５２４は、電子回路の一部を構成する、故障が発生しやすい部品や故障が発生したときに携帯端末装置に深刻な問題を引き起こす部品（これらの部品は、故障が発生したときに、故障が発生していないときに比べて高温を発生することが多い）、の周辺に配置されたサーミスタ５４ｎにより温度値ＶＴＨｎを検出し、その検出した温度値ＶＴＨｎのいずれかがある閾値を越えている期間において、異常温度を検出したことを示すＶＴＨ  ＤＥＴを制御回路５２５に出力する。制御回路５２５は、バッテリ電流検出回路５２３からＩｂａｔ  ＤＥＴを入力している期間または温度検出回路５２４からＶＴＨ  ＤＥＴの少なくとも一つを入力している期間において、携帯端末装置に故障有りと判定してスイッチ５２６を開放し、一方、いずれも入力していない期間において、携帯端末装置に故障無しと判定してスイッチ５２６を短絡する、ように制御信号Ｖｓｗを出力して切り替える。
【特許文献１】特願平  ９−２４８４５８号公報
【特許文献２】特願平１０−２７６７９２号公報
【発明の開示】
【発明が解決しようとする課題】
【０００４】
しかしながら、従来の携帯端末装置は、携帯端末装置に故障が有る場合には、二次電池から電子回路への電力供給は遮断されるが、外部ＡＣ電源から電子回路への電力供給は遮断されない。このため、従来の携帯端末装置は、故障が発生しているときに外部ＡＣ電源から電子回路に電力が供給されることにより、誤動作、あるいは電子回路に新たな故障が発生する恐れがある。
【０００５】
本発明は、上記事情に鑑みてなされたもので、電子回路に故障が発生したときに外部電源から電子回路への電力供給を遮断することができる携帯端末装置、異常動作検出回路および電力供給制御方法を提供することを目的とする。
【課題を解決するための手段】
【０００６】
本発明の携帯端末装置は、外部電源からの電力供給が可能な携帯端末装置であって、電子回路と、前記電子回路の少なくとも一箇所における異常動作を検出する検出部と、前記外部電源と前記電子回路とを接続する電力伝送路の一部を開放または短絡する第１の切替部と、前記検出部により異常動作を検出したときに、前記第１の切替部を開放するよう切り替える切替制御部と、を備えるものである。
【０００７】
本発明の異常動作検出回路は、電子回路に発生する異常動作を検出する異常動作検出回路であって、前記電子回路の少なくとも一箇所における異常動作を検出する検出部と、外部電源と前記電子回路とを接続する電力伝送路の一部を開放または短絡する第１の切替部と、前記検出部により異常動作を検出したときに、前記第１の切替部を開放するよう切り替える切替制御部と、を備えるものである。
【０００８】
本発明の電力供給制御方法は、電子回路に発生する異常動作を検出するための異常動作検出回路による電力供給制御方法であって、前記電子回路の少なくとも一箇所における異常動作を検出し、前記異常動作を検出したときに、外部電源と前記電子回路とを接続する電力伝送路の一部を開放する、ものである。
【０００９】
この構成により、電子回路に故障が発生したときに外部電源から電子回路への電力供給を遮断することができる。
【００１０】
また、本発明の携帯端末装置は、外部電源から供給される電力によって充電する二次電池と、前記二次電池と前記電子回路とを接続する電力伝送路の一部を開放または短絡する第２の切替部を備え、前記切替制御部が、前記検出部により異常動作を検出したときに、前記第２の切替部を開放するよう切り替える、ものを含む。
【００１１】
また、本発明の異常動作検出回路は、外部電源から供給される電力によって充電する二次電池と、前記電子回路と、を接続する電力伝送路の一部を開放または短絡する第２の切替部を備え、前記切替制御部が、前記検出部により異常動作を検出したときに、前記第２の切替部を開放するよう切り替える、ものを含む。
【００１２】
また、本発明の電力供給制御方法は、前記異常動作を検出したときに、外部電源から供給される電力によって充電する二次電池と前記電子回路とを接続する電力伝送路の一部を開放する、ものを含む。
【００１３】
この構成により、電子回路に故障が発生したときに外部電源および二次電池から電子回路への電力供給を遮断することができる。
【００１４】
また、本発明の携帯端末装置は、複数の前記検出部を備え、前記切替制御部が、少なくとも一つの前記検出部により異常動作を検出したときに、少なくとも前記第１の切替部および前記第２の切替部の一方、または両方を開放するよう切り替える、ものを含む。
【００１５】
また、本発明の異常動作検出回路は、複数の前記検出部を備え、前記切替制御部が、少なくとも一つの前記検出部により異常動作を検出したときに、少なくとも前記第１の切替部および前記第２の切替部の一方、または両方を開放するよう切り替える、ものを含む。
【００１６】
また、本発明の電力供給制御方法は、前記電子回路の複数箇所における異常動作を検出し、少なくとも一箇所における異常動作を検出したときに、前記外部電源と前記電子回路とを接続する電力伝送路の一部、および外部電源から供給される電力によって充電する二次電池と前記電子回路とを接続する電力伝送路の一部の一方、または両方を開放するよう切り替える、ものを含む。
【００１７】
この構成により、携帯端末装置に発生する様々な異常動作を複数の検出部により検出することができる。
【００１８】
また、本発明の携帯端末装置は、前記切替制御部が、前記検出部が異常動作を所定の期間検出し続けた場合、少なくとも前記第１の切替部および前記第２の切替部の一方、または両方を開放するよう切り替える、ものを含む。
【００１９】
また、本発明の異常動作検出回路は、前記切替制御部が、前記検出部が異常動作を所定の期間検出し続けた場合、少なくとも前記第１の切替部および前記第２の切替部の一方、または両方を開放するよう切り替える、ものを含む。
【００２０】
また、本発明の電力供給制御方法は、異常動作を所定の期間検出し続けた場合、前記外部電源と前記電子回路とを接続する電力伝送路の一部、および外部電源から供給される電力によって充電する二次電池と前記電子回路とを接続する電力伝送路の一部の一方、または両方を開放するよう切り替える、ものを含む。
【００２１】
この構成により、電子回路に駆動電圧を供給中に、異常動作の有無を判別するための参照情報（例えば、電圧値、電流値、または温度値）にゆらぎが発生していても、その参照情報から、正常な駆動電圧が二次電池１３から電子回路に印加されているものと正確に判定することができる。
【００２２】
また、本発明の携帯端末装置は、検出動作を行わせるための電力を前記二次電池から前記検出部に間欠的に供給する電力供給制御部を備え、前記検出部が、前記電力供給制御部から電力を供給されている期間、異常動作を検出する、ものを含む。
【００２３】
また、本発明の異常動作検出回路は、検出動作を行わせるための電力を前記二次電池から前記検出部に間欠的に供給する電力供給制御部を備え、前記検出部が、前記電力供給制御部から電力を供給されている期間、異常動作を検出する、ものを含む。
【００２４】
また、本発明の電力供給制御方法は、前記二次電池から、電子回路に発生する異常動作を検出する検出部に検出動作を行わせるための電力を間欠的に供給し、電力が供給されている期間、前記検出部が異常動作を検出する、ものを含む。
【００２５】
この構成により、異常動作を検出するために検出部に必要となる電力消費を軽減することができる。
【００２６】
また、本発明の携帯端末装置は、複数の前記検出部を備え、前記電力供給制御部は、前記二次電池から前記検出部それぞれに、任意の時点において前記二次電池が二つ以上の前記検出部に供給することがないように切り替えて、間欠的に供給する、ものを含む。
【００２７】
また、本発明の異常動作検出回路は、複数の前記検出部を備え、前記電力供給制御部が、前記二次電池から前記検出部それぞれに、任意の時点において前記二次電池が二つ以上の前記検出部に供給することがないように切り替えて、間欠的に供給する、ものを含む。
【００２８】
また、本発明の電力供給制御方法は、複数の前記検出部それぞれに、任意の時点において前記二次電池から二つ以上の前記検出部に供給することがないように切り替えて、間欠的に供給する、ものを含む。
【００２９】
この構成により、電力供給制御部が複数の検出部から異常動作の有無についての信号を選択的に入力することになり、これらの信号が同時に入力されることに備えて電力供給制御部の回路規模を大きくする必要がなくなる。
【００３０】
また、本発明の携帯端末装置は、安定化電源を備え、前記安定化電源が、前記二次電池から入力した電力を、検出動作を行わせるための電力として、前記検出部に出力する、ものを含む。
【００３１】
また、本発明の異常動作検出回路は、安定化電源を備え、前記安定化電源が、前記二次電池から入力した電力を、検出動作を行わせるための電力として、前記検出部に出力する、ものを含む。
【００３２】
また、本発明の電力供給制御方法は、前記二次電池から安定化電源に電力を入力し、前記安定化電源が、電子回路に発生する異常動作を検出する検出部に検出動作を行わせるための電力を出力する、ものを含む。
【００３３】
この構成により、検出部に安定的な駆動電圧を供給することにより、検出部の動作不安定による誤動作を防止することができる。
【００３４】
また、本発明の携帯端末装置は、前記検出部と、当該検出部により異常動作を検出すべき箇所と、の間に配置されたローパスフィルタを備えるものを含む。
【００３５】
また、本発明の異常動作検出回路は、前記検出部と、当該検出部により異常動作を検出すべき箇所と、の間に配置されたローパスフィルタを備えるものを含む。
【００３６】
また、本発明の電力供給制御方法は、電子回路に発生する異常動作を検出する検出部と、当該検出部により異常動作を検出すべき箇所と、の間に配置されたローパスフィルタを備えるものを含む。
【００３７】
この構成により、検出部が検出する電圧からノイズの成分が除去され、携帯端末装置に発生し得る異常動作の有無を正確に検出することができる。
【００３８】
また、本発明の携帯端末装置は、前記検出部により検出した異常動作の種別を記憶する記憶部を備えるものを含む。
【００３９】
また、本発明の異常動作検出回路は、前記検出部により検出した異常動作の種別を記憶する記憶部を備えるものを含む。
【００４０】
また、本発明の電力供給制御方法は、検出した異常動作の種別を記憶するものを含む。
【００４１】
この構成により、携帯端末装置に故障が発生した場合、後でその記憶部に記憶された情報を読み取ることによって、故障原因を特定することが容易になる。
【発明の効果】
【００４２】
本発明の携帯端末装置、異常動作検出回路および電力供給制御方法によれば、電子回路に故障が発生したときに外部電源から電子回路への電力供給を遮断することができる。
【発明を実施するための最良の形態】
【００４３】
以下、本発明の実施の形態の携帯端末装置について説明する。まず、本発明を実施するために、最小限必要となる基本構成について説明する。図１に、本発明の実施の形態の携帯端末装置における基本構成を表す機能ブロック図を示す。
【００４４】
本発明の実施の形態の携帯端末装置１に搭載される電子回路は、ＡＣ電源端子１１、外部ＡＣ電圧検出回路１１１、第１制御回路１１２、ＯＲ回路１１３、第１スイッチ１１４、バッテリ電源端子１２、バッテリ電流検出回路１２３、温度検出回路１２４、第２制御回路１２５、第２スイッチ１２６、二次電池１３、サーミスタ１４ｎ（ｎ＝１、２、…Ｎ）、を含んで構成される。なお、図１では、携帯端末装置内部の電力線を太線で、信号線を電力線よりも細い線で、記載している。
【００４５】
電子回路は、二次電池１３からバッテリ電源端子１２（二次電池１３から供給された電力を電子回路に伝送する端子）を介して供給される電力Ｖｂａｔまたは外部ＡＣ電源２からＡＣ電源端子１１（外部ＡＣ電源２から供給された電力を電子回路に伝送する端子）を介して供給される電力Ｖａｃによって駆動し、携帯端末装置に備わる各種機能を実行する。バッテリ電流検出回路１２３は、二次電池１３から電子回路に電力を供給するための電流値Ｉｂａｔを検出し、その検出した電流値Ｉｂａｔがある閾値を越えている期間において、異常電流を検出したことを示すＩｂａｔ  ＤＥＴを第２制御回路１２５に出力する。温度検出部回路１２４は、電子回路の一部を構成する、故障が発生しやすい部品や故障が発生したときに携帯端末装置に深刻な問題を引き起こす部品（これらの部品は、故障が発生したときに、故障が発生していないときに比べて高温を発生することが多い）、の周辺に配置されたサーミスタ１４ｎにより温度値ＶＴＨｎを検出し、ＯＲ回路を介して複数のサーミスタ１４ｎから入力する温度値ＶＴＨｎのいずれかがある閾値を越えている期間中において、異常温度を検出したことを示すＶＴＨ  ＤＥＴを第２制御回路１２５に出力する。第２制御回路１２５は、ＯＲ回路を介してバッテリ電流検出回路１２３からＩｂａｔ  ＤＥＴを入力している期間または温度検出回路１２４からＶＴＨ  ＤＥＴを入力している期間には、携帯端末装置に故障有りと判定して第２スイッチ１２６を開放する制御信号Ｖｓｗ２を、一方、ＯＲ回路を介していずれも入力していない期間には、携帯端末装置に故障無しと判定して第２スイッチ１２６を短絡する制御信号Ｖｓｗ２を、第２スイッチ１２６に出力して切り替える。さらに、第２制御回路１２５は、第２スイッチ１２６を開放あるいは短絡する制御信号Ｖｓｗ２を第２スイッチ１２６に出力するとともにＯＲ回路１１３にも同様の制御信号Ｖｓｗ２を出力する。
【００４６】
さらに、外部ＡＣ電圧検出回路１１１は、外部ＡＣ電源２から電子回路に電力を供給するための電圧値Ｖａｃを検出し、その検出した電圧値Ｖａｃが所定の数値範囲内に収まっている期間において、外部ＡＣ電源２からの電力が正常であることを示すＶａｃ  ＤＥＴを第１制御回路１１２に出力する。第１制御回路１１２は、外部ＡＣ電圧検出回路１１１からＶａｃ  ＤＥＴを入力している期間において、「携帯端末装置に故障無し」であることを表す制御信号Ｖａｃ  ＤＥＴＯをＯＲ回路１１３に出力する。一方、第１制御回路１１２は、外部ＡＣ電圧検出回路１１１からＶａｃ  ＤＥＴを入力していない期間において、「携帯端末装置に故障有り」であることを表す制御信号Ｖａｃ  ＤＥＴＯを、ＯＲ回路１１３に出力する。ＯＲ回路１１３は、第１制御回路１１２から「携帯端末装置に故障無し」であることを表すＶａｃ  ＤＥＴＯ、および第２制御回路１２５から「携帯端末装置に故障無し」であることを表す制御信号Ｖｓｗ２を入力すると、第１スイッチ１１４を短絡させる制御信号Ｖｓｗ１を出力して第１スイッチ１１４を短絡させ、一方、第１制御回路１１２から「携帯端末装置に故障有り」であることを表すＶａｃ  ＤＥＴＯ、および第２制御回路１２５から「携帯端末装置に故障有り」であることを表す制御信号Ｖｓｗ２のいずれか一方または両方を入力すると、第１スイッチ１１４を開放させる制御信号Ｖｓｗ１を出力して第１スイッチ１１４を開放させる。
【００４７】
このように、本発明の実施の形態の携帯端末装置によれば、携帯端末装置に故障が有る場合には、二次電池から電子回路への電力供給とともに外部ＡＣ電源から電子回路への電力供給もまた遮断されるため、外部電源から故障が発生した電子回路へ電力が供給されることによる誤動作、あるいは電子回路に発生し得る新たな故障を未然に防ぐことができる。以下で説明する実施形態では、本発明の実施の形態の携帯端末装置による、第１スイッチ１１４および第２スイッチ１２６の切り替え処理、および携帯端末装置に発生した故障の検出処理について、詳細に説明する。
【００４８】
（第１実施形態）
以下、本発明の第１実施形態の携帯端末装置について詳細に説明する。図２に、本発明の第１実施形態の携帯端末装置における機能ブロック図を示す。図１に示した携帯端末装置の構成では、携帯端末装置の故障の有無を判定する回路として、外部ＡＣ電圧検出回路１１１、バッテリ電流検出回路１２３および温度検出回路１２４を挙げて説明した。第１実施形態では、これらの検出回路にさらに、バッテリ電圧検出回路１２２を加えた複数の検出回路を一つのモジュールによって構成し、携帯端末装置の故障を複合的に検出することができる携帯端末装置について説明する。また、携帯端末装置の故障の有無を判定する精度を向上させることができる判定処理についても併せて説明する。
【００４９】
なお、このモジュールを異常動作検出モジュールと称し、図２では、複数の検出回路、第１制御回路１１２、第２制御回路１２５、およびＯＲ回路１１３をその内部に含む点線で囲まれる領域が異常動作検出モジュールに相当するものとする。また、図２において、図１に記載した参照符号と同一の参照符号を割り当てた対象は、図１の機能ブロック図における同一対象を説明した通りであるため、説明を省略する場合がある。また、図２では、温度検出回路１２４および第２制御回路１２５におけるＯＲ回路が省かれているが、温度検出回路１２４のＯＲ回路には複数のサーミスタからのＶＴＨが入力され、また、第２制御回路１２５のＯＲ回路には複数の検出回路からの信号が入力される構成は、図１における温度検出回路１２４および第２制御回路１２５と共通である。
【００５０】
まず、リセット回路１２１ａおよびリセット一致回路１２１ｂによる携帯端末装置の故障の有無の判定処理ついて説明する。図３に、本発明の第１実施形態の携帯端末装置による、二次電池１３による印加開始時の判定処理の概要を示す。リセット回路１２１ａは、電子回路の起動時に、二次電池１３から電子回路に電力を供給するための電圧値Ｖｂａｔを検出し、その検出した電圧値Ｖｂａｔが二次電池電圧閾値（図３における、Ｖｂａｔ接続時の電圧ゆらぎから安定的に電子回路が駆動させるために要求される二次電池電圧閾値）以上において、二次電池１３からの電力が正常であることを示すＶＲＳＴをリセット一致回路１２１ｂに出力する。リセット回路１２１ａは、二次電池電圧閾値以上の場合には「Ｈｉｇｈ」と認識される電圧をＶＲＳＴとしてリセット一致回路１２１ｂに出力し、一方、二次電池電圧閾値未満の場合には、「Ｌｏｗ」と認識される電圧をＶＲＳＴとしてリセット一致回路１２１ｂに出力する。
【００５１】
リセット一致回路１２１ｂは、リセット回路１２１ａから「Ｈｉｇｈ」と認識されるＶＲＳＴを入力したとき（図３におけるｔ１およびｔ２の時点）、その時点からタイマー（図示せず）により計時を開始する。リセット一致回路１２１ｂは、タイマーにより計時を開始した後、「Ｈｉｇｈ」と認識されるＶＲＳＴをリセット回路１２１ａから入力している期間が所定の時間（図３における、ｔ２からｔ３までのｔＥＲＯＮで示す期間）になると、「Ｈｉｇｈ」と認識される電圧をＶＥＲ  ＯＮとしてバッテリ電圧検出回路１２２ａ、バッテリ電流検出回路１２３ａおよび温度検出回路１２４ａに出力する。一方、リセット一致回路１２１ｂは、タイマーにより計時を開始した後、「Ｈｉｇｈ」と認識されるＶＲＳＴをリセット回路１２１ａから入力している期間が所定の時間に満たないと（図３における、ｔ１からｔ２までの期間）、「Ｌｏｗ」と認識される電圧をＶＥＲ  ＯＮとしてバッテリ電圧検出回路１２２ａ、バッテリ電流検出回路１２３ａおよび温度検出回路１２４ａに出力する。なお、ｔＥＲＯＮは、二次電池１３から供給される電圧が一定値に収束するためにかかる時間よりも長く設定することが好ましい。
【００５２】
ＶＥＲ  ＯＮを入力したバッテリ電圧検出回路１２２ａ、バッテリ電流検出回路１２３ａおよび温度検出回路１２４ａは、リセット一致回路１２１ｂから入力したＶＥＲ  ＯＮを「Ｈｉｇｈ」と認識すれば、各回路による携帯端末装置における異常検出処理を開始し、一方、リセット一致回路１２１ｂから入力したＶＥＲ  ＯＮを「Ｌｏｗ」と認識している期間中には、各回路による携帯端末装置における異常検出処理を行わず「Ｈｉｇｈ」のＶＥＲ  ＯＮが入力するまで待機する。
【００５３】
二次電池１３から電子回路への印加開始時には、図３に示すように、印加される電圧が規定値まで不規則に上昇するゆらぎが発生する。このようなゆらぎが発生した状態で異常動作検出モジュールによる異常検出動作を実行してしまうと、異常動作検出モジュールの動作が安定せず異常動作の検出に誤動作が発生する恐れがある。また、検出したＶｂａｔが二次電池電圧閾値以上を維持できないことが想定され、リセット回路１２１ａから、短期間に「Ｈｉｇｈ」および「Ｌｏｗ」が切り替わる電圧（電圧のバタツキ）がＶＲＳＴとして出力されることを防ぐことも考慮すべきである。本発明の第１実施形態の携帯端末装置におけるリセット回路１２１ａおよびリセット一致回路１２１ｂによれば、二次電池から電子回路に駆動電圧を供給開始時において、リセット回路１２１ａにより検出した電圧値Ｖｂａｔがゆらぎによって異常動作検出モジュールに電力を安定的に供給できない可能性のある期間には、異常動作検出モジュールが異常動作検出処理を実行しないため、異常動作検出モジュールによる誤動作を防ぐことができる。また、故障の生じた二次電池１３から異常動作検出モジュールへ印加され得る過剰な電力供給を防ぐことができる。
【００５４】
なお、リセット回路１２１ａおよびリセット一致回路１２１ｂによる処理を、二次電池の脱着の度に行うことが好ましい。
【００５５】
次に、バッテリ電圧検出回路１２２ａおよびバッテリ電圧一致回路１２２ｂによる携帯端末装置の故障の有無の判定処理ついて説明する。図４に、本発明の第１実施形態の携帯端末装置による、印加電圧の判定処理の概要を示す。バッテリ電圧検出回路１２２ａは、リセット一致回路１２１ｂから「Ｈｉｇｈ」と認識されるＶＥＲ  ＯＮを入力すると、異常検出処理を開始し、リセット一致回路１２１ｂから「Ｌｏｗ」と認識されるＶＥＲ  ＯＮを入力すると、異常検出処理を終了する。
【００５６】
バッテリ電圧検出回路１２２ａは、二次電池１３から電子回路に電力を供給するための電圧値Ｖｂａｔを検出し、その検出した電圧値Ｖｂａｔがある閾値（図４における、携帯端末装置の故障の有無を判定するための異常二次電池電圧閾値）を越えている期間において、二次電池１３からの電力が異常であることを示すＶｂａｔ  ＤＥＴをバッテリ電圧一致回路１２２ｂに出力する。バッテリ電圧検出回路１２２ａは、大きいと判定した期間中は、「Ｈｉｇｈ」と認識される電圧をＶｂａｔ  ＤＥＴとしてバッテリ電圧一致回路１２２ｂに出力し、一方、小さいと判定した期間中は、「Ｌｏｗ」と認識される電圧をＶｂａｔ  ＤＥＴとしてバッテリ電圧一致回路１２２ｂに出力する。
【００５７】
バッテリ電圧一致回路１２２ｂは、バッテリ電圧検出回路１２２ａから「Ｈｉｇｈ」と認識されるＶｂａｔ  ＤＥＴを入力したとき（図４におけるｔ１、ｔ２、ｔ３、ｔ４およびｔ５の時点）、その時点からタイマー（図示せず）により計時を開始する。バッテリ電圧一致回路１２２ｂは、タイマーにより計時を開始した後、「Ｈｉｇｈ」と認識されるＶｂａｔ  ＤＥＴをバッテリ電圧検出回路１２２ａから入力している期間が所定の時間（図４における、ｔ４からｔ５までのｔＶｂａｔＤＥＴで示す期間）になると、「Ｈｉｇｈ」と認識される電圧をＶｂａｔ  ＤＥＴＯとして第２制御回路１２５に出力する。一方、バッテリ電圧一致回路１２２ｂは、タイマーにより計時を開始した後、「Ｈｉｇｈ」と認識されるＶｂａｔ  ＤＥＴをバッテリ電圧検出回路１２２ａから入力している期間が所定の時間に満たないと（図４における、ｔ１、ｔ２またはｔ３から、「Ｌｏｗ」と認識されるＶｂａｔ  ＤＥＴを入力するまでの期間は、上述した所定の時間に満たない）、「Ｌｏｗ」と認識される電圧をＶｂａｔ  ＤＥＴＯとして第２制御回路１２５に出力する。第２制御回路１２５は、バッテリ電圧一致回路１２２ｂから「Ｈｉｇｈ」と認識されるＶｂａｔ  ＤＥＴＯを入力すると、第２制御回路１２５から「Ｈｉｇｈ」と認識されるＶｓｗ２を出力して第２スイッチ１２６を開放し、二次電池１３から電子回路への電力供給を停止することになる。また、第２制御回路１２５から「Ｈｉｇｈ」と認識されるＶｓｗ２をＯＲ回路１１３に出力することにより、ＯＲ回路１１３は「Ｈｉｇｈ」と認識されるＶｓｗ１を出力して第１スイッチ１１４を開放し、外部ＡＣ電源２から電子回路への電力供給も停止することになる。
【００５８】
二次電池１３から電子回路へ電圧を印加しているときには、図４に示すように、印加される電圧が不規則に変動する「ゆらぎ」が発生する。このようなゆらぎが発生してしまうと、検出したＶｂａｔが異常二次電池電圧閾値をまたいで変動することが想定され、そのような短期間に変動する電圧値Ｖｂａｔから二次電池から供給される電圧が正常であるか異常であるかを判定することは困難である。また、バッテリ電圧検出回路１２２ａからは、短期間に「Ｈｉｇｈ」および「Ｌｏｗ」が切り替わる電圧（電圧のバタツキ）がＶｂａｔ  ＤＥＴとして出力されることになってしまい、これも防ぐことが必要である。本発明の第１実施形態の携帯端末装置におけるバッテリ電圧検出回路１２２ａおよびバッテリ電圧一致回路１２２ｂによれば、二次電池から電子回路に駆動電圧を供給中に、バッテリ電圧検出回路１２２ａにより検出した電圧値Ｖｂａｔがゆらぎによって異常二次電池電圧閾値を越えている可能性のある期間には、正常な駆動電圧が二次電池１３から電子回路に印加されているものと正確に判定することができる。
【００５９】
なお、図４におけるｔ５の時点において二次電池１３から供給される電圧に異常があるとバッテリ電圧一致回路１２２ｂが判定した後には第２制御回路１２５からＶｓｗ２に「Ｈｉｇｈ」が出力され、第２スイッチ１２６が開放されるために、バッテリ電源端子１２の電位ＶｂａｔｏはＬｏｗ電位となる。一方、バッテリ電圧検出回路１２２ａは、継続してＶｂａｔ電圧の判定を行い、バッテリ一致回路１２２ｂと第２制御回路１２５によりＶｓｗ２の出力「Ｈｉｇｈ」を継続し続け（Ｈｉｇｈラッチ動作）、第２スイッチ１２６が開放状態を継続する。さらに第２制御回路１２５からＶｓｗ２「Ｈｉｇｈ」が入力されたＯＲ回路１１３はＶｓｗ１「Ｈｉｇｈ」を出力して第１スイッチ１１４を開放するため、ＡＣ電源端子１２の電位ＶａｃｏがＬｏｗ電位となる。また、Ｖｂａｔの電圧の下がり(Ｖｂａｔの脱着)を検出したリセット一致回路１２１ｂから再度「Ｌｏｗ」のＶＥＲ  ＯＮを入力したときに、バッテリ電圧一致回路１２２ｂは「Ｌｏｗ」と認識される電圧をＶｂａｔ  ＤＥＴＯとして第２制御回路１２５に出力することになる。その後、「Ｌｏｗ」と認識されるＶｂａｔ  ＤＥＴＯを入力した第２制御回路１２５は、第１スイッチ１１４と第２スイッチ１２６を短絡する。
【００６０】
次に、バッテリ電流検出回路１２３ａおよびバッテリ電流一致回路１２３ｂによる携帯端末装置の故障の有無の判定処理ついて説明する。図５に、本発明の第１実施形態の携帯端末装置による、印加電流の判定処理の概要を示す。バッテリ電流検出回路１２３ａは、リセット一致回路１２１ｂから「Ｈｉｇｈ」と認識されるＶＥＲ  ＯＮを入力すると、異常検出処理を開始し、リセット一致回路１２１ｂから「Ｌｏｗ」と認識されるＶＥＲ  ＯＮを入力すると、異常検出処理を終了する。
【００６１】
バッテリ電流検出回路１２３ａは、二次電池１３から電子回路に電力を供給するためのバッテリ配線に設けた抵抗１２３ｃの両端の電圧値Ｖｂａｔ、ＶｂａｔＩを検出し、その検出した電圧値ＶｂａｔとＶｂａｔＩの電圧差と抵抗１２３ｃから算出される電流値Ｉｂａｔがある閾値（図５における、携帯端末装置の故障の有無を判定するための異常二次電池電流閾値）を越えている期間において、二次電池１３からの電力が異常であることを示すＩｂａｔ  ＤＥＴをバッテリ電流一致回路１２３ｂに出力する。バッテリ電流検出回路１２３ａは、大きいと判定した期間中は、「Ｈｉｇｈ」と認識される電圧をＩｂａｔ  ＤＥＴとしてバッテリ電流一致回路１２３ｂに出力し、一方、小さいと判定した期間中は、「Ｌｏｗ」と認識される電圧をＩｂａｔ  ＤＥＴとしてバッテリ電流一致回路１２３ｂに出力する。なお、異常二次電池電流閾値は、抵抗１２３ｃの数値を変えることによって、任意の数値に設定することができ且つ、バッテリ電流検出回路１２３ａに備えた異常二次電池電流閾値設定抵抗（図示せず）を変更することにより任意に設定することができる。
【００６２】
バッテリ電流一致回路１２３ｂは、バッテリ電流検出回路１２３ａから「Ｈｉｇｈ」と認識されるＩｂａｔ  ＤＥＴを入力したとき（図５におけるｔ１、ｔ２、ｔ３、ｔ４およびｔ５の時点）、その時点からタイマー（図示せず）により計時を開始する。バッテリ電流一致回路１２３ｂは、タイマーにより計時を開始した後、「Ｈｉｇｈ」と認識されるＩｂａｔ  ＤＥＴをバッテリ電流検出回路１２３ａから入力している期間が所定の時間（図５における、ｔ４からｔ５までのｔＩｂａｔ  ＤＥＴで示す期間）になると、「Ｈｉｇｈ」と認識される電圧をＩｂａｔ  ＤＥＴＯとして第２制御回路１２５に出力する。一方、バッテリ電流一致回路１２３ｂは、タイマーにより計時を開始した後、「Ｈｉｇｈ」と認識されるＩｂａｔ  ＤＥＴをバッテリ電流検出回路１２３ａから入力している期間が所定の時間に満たないと（図５における、ｔ１、ｔ２またはｔ３から、「Ｌｏｗ」と認識されるＩｂａｔ  ＤＥＴを入力するまでの期間は、上述した所定の時間に満たない）、「Ｌｏｗ」と認識される電圧をＩｂａｔ  ＤＥＴＯとして第２制御回路１２５に出力する。第２制御回路１２５は、バッテリ電流一致回路１２３ｂから「Ｈｉｇｈ」と認識されるＩｂａｔ  ＤＥＴＯを入力すると、第２スイッチ１２６を開放し、電子回路への電力供給を停止することになる。また、第２制御回路１２５から「Ｈｉｇｈ」と認識されるＶｓｗ２を出力することによりＯＲ  １１３から「Ｈｉｇｈ」と認識されるＶｓｗ１を出力して第１スイッチ１１４を開放し、外部ＡＣ電源２から電子回路への電力供給も停止することになる。
【００６３】
二次電池１３から電子回路へ電圧を印加しているときには、図５に示すように、印加される電流が不規則に変動する「ゆらぎ」が発生する。このようなゆらぎが発生してしまうと、検出したＩｂａｔが異常二次電池電流閾値をまたいで変動することが想定され、そのような短期間に変動する電流値Ｉｂａｔから二次電池から供給される電圧が正常であるか異常であるかを判定することは困難である。また、バッテリ電流検出回路１２３ａからは、短期間に「Ｈｉｇｈ」および「Ｌｏｗ」が切り替わる電圧（電圧のバタツキ）がＩｂａｔ  ＤＥＴとして出力されることになってしまい、これも防ぐことが必要である。本発明の第１実施形態の携帯端末装置におけるバッテリ電流検出回路１２３ａおよびバッテリ電流一致回路１２３ｂによれば、二次電池から電子回路に駆動電圧を供給中に、バッテリ電流検出回路１２３ａにより検出した電流値Ｉｂａｔがゆらぎによって異常二次電池電流閾値を越えている可能性のある期間には、正常な駆動電圧が二次電池１３から電子回路に印加されているものと正確に判定することができる。
【００６４】
なお、図５におけるｔ５の時点において二次電池１３から供給される電流に異常があるとバッテリ電流一致回路１２３ｂが判定した後には、第２スイッチ１２６が開放されるためにＩｂａｔはほぼ０に、Ｉｂａｔ  ＤＥＴは「Ｌｏｗ」になる。一方、バッテリ電流一致回路１２３ｂと第２制御回路１２５は、Ｖｓｗ２として「Ｈｉｇｈ」を継続して出力し第２スイッチ１２６を開放し、電子回路への電力供給を停止することになる。また、第２制御回路１２５から「Ｈｉｇｈ」と認識されるＶｓｗ２をＯＲ回路１１３に出力することにより、ＯＲ回路１１３は「Ｈｉｇｈ」と認識されるＶｓｗ１を出力して第１スイッチ１１４を開放し、外部ＡＣ電源２から電子回路への電力供給も停止することになる。また、Ｖｂａｔの電圧の下がり(Ｖｂａｔの脱着)Ｖｂａｔを検出したリセット一致回路１２１ｂから再度「Ｌｏｗ」のＶＥＲ  ＯＮを入力したときに、バッテリ電流一致回路１２３ｂは「Ｌｏｗ」と認識される電圧をＶｂａｔ  ＤＥＴＯとして第２制御回路１２５に出力することになる。その後、「Ｌｏｗ」と認識されるＶｂａｔ  ＤＥＴＯを入力した第２制御回路１２５は、第１スイッチ１１４と第２スイッチ１２６を短絡する。
【００６５】
次に、温度検出回路１２４ａおよび温度一致回路１２４ｂによる携帯端末装置の故障の有無の判定処理ついて説明する。図６に、本発明の第１実施形態の携帯端末装置による、サーミスタによる判定処理の概要を示す。温度検出回路１２４ａは、リセット一致回路１２１ｂから「Ｈｉｇｈ」と認識されるＶＥＲ  ＯＮを入力すると、異常検出処理を開始し、リセット一致回路１２１ｂから「Ｌｏｗ」と認識されるＶＥＲ  ＯＮを入力すると、異常検出処理を終了する。
【００６６】
温度検出回路１２４ａは、電子回路の一部を構成する、故障が発生しやすい部品や故障が発生したときに携帯端末装置に深刻な問題を引き起こす部品の周辺に配置されたサーミスタ１４ｎにより温度値ＶＴＨｎを検出し、その検出した温度値ＶＴＨｎのいずれかがある閾値（図６における、携帯端末装置の故障の有無を判定するための異常温度閾値）を越えている期間中において、異常温度を検出したことを示すＶＴＨ  ＤＥＴを温度一致回路１２４ｂに出力する。温度検出回路１２４ａは、大きいと判定した期間中は、「Ｈｉｇｈ」と認識される電圧をＶＴＨ  ＤＥＴとして温度一致回路１２４ｂに出力し、一方、小さいと判定した期間中は、「Ｌｏｗ」と認識される電圧をＶＴＨ  ＤＥＴとして温度一致回路１２４ｂに出力する。なお、異常温度閾値は、備え付けたサーミスタの温度抵抗変化特性、常温での抵抗値（図示せず）を適宜変更することによって、任意に設定することができ且つ、温度検出回路１２４ａに備えた異常温度閾値設定抵抗（図示せず）を変更することにより任意に設定することができる。
【００６７】
温度一致回路１２４ｂは、温度検出回路１２４ａから「Ｈｉｇｈ」と認識されるＶＴＨ  ＤＥＴを入力したとき（図６におけるｔ１、ｔ２、ｔ３、ｔ４およびｔ５の時点）、その時点からタイマー（図示せず）により計時を開始する。温度一致回路１２４ｂは、タイマーにより計時を開始した後、「Ｈｉｇｈ」と認識されるＶＴＨ  ＤＥＴを温度検出回路１２４ａから入力している期間が所定の時間（図６における、ｔ４からｔ５までのｔＶＴＨ  ＤＥＴで示す期間）になると、「Ｈｉｇｈ」と認識される電圧をＶＴＨ  ＤＥＴＯとして第２制御回路１２５に出力する。一方、温度一致回路１２４ｂは、タイマーにより計時を開始した後、「Ｈｉｇｈ」と認識されるＶＴＨ  ＤＥＴを温度検出回路１２４ａから入力している期間が所定の時間に満たないと（図６における、ｔ１、ｔ２またはｔ３から、「Ｌｏｗ」と認識されるＶＴＨ  ＤＥＴを入力するまでの期間は、上述した所定の時間に満たない）、「Ｌｏｗ」と認識される電圧をＶＴＨ  ＤＥＴＯとして第２制御回路１２５に出力する。第２制御回路１２５は、温度一致回路１２４ｂから「Ｈｉｇｈ」と認識されるＶＴＨ  ＤＥＴＯを入力されるとＶｓｗ２を「Ｈｉｇｈ」（第２制御回路１２５と温度一致回路１２４ｂでＨｉｇｈラッチ動作）にして第２スイッチ１２６を開放し、電子回路への電力供給を停止することになる。また、第２制御回路１２５から「Ｈｉｇｈ」と認識されるＶｓｗ２をＯＲ回路１１３に出力することにより、ＯＲ回路１１３は「Ｈｉｇｈ」と認識されるＶｓｗ１を出力して第１スイッチ１１４を開放し、外部ＡＣ電源２から電子回路への電力供給も停止することになる。
【００６８】
二次電池１３から電子回路へ電圧を印加しているときには、図６に示すように、電子回路に配置されたサーミスタにより検出する温度が不規則に変動する「ゆらぎ」が発生する。このようなゆらぎが発生してしまうと、検出した温度値ＶＴＨが異常温度閾値をまたいで変動することが想定され、そのような短期間に変動する温度値ＶＴＨから電子回路における異常の有無を判定することは困難である。また、温度検出回路１２４ａからは、短期間に「Ｈｉｇｈ」および「Ｌｏｗ」が切り替わる電圧（電圧のバタツキ）がＶＴＨ  ＤＥＴとして出力されることになってしまい、これも防ぐことが必要である。本発明の第１実施形態の携帯端末装置における温度検出回路１２４ａおよび温度一致回路１２４ｂによれば、二次電池から電子回路に駆動電圧を供給中に、温度検出回路１２４ａにより検出した温度値ＶＴＨがゆらぎによって異常温度閾値を越えている可能性のある期間には、正常な駆動電圧が二次電池１３から電子回路に印加されているものと正確に判定することができる。
【００６９】
なお、図６におけるｔ５の時点において電子回路に異常があると温度一致回路１２４ｂが判定した後には、第２スイッチ１２６が開放されるために電子回路内部にて発生する熱源がなくなるためにＶＴＨは外部気温に収束し、ＶＴＨ  ＤＥＴは「Ｌｏｗ」になる。一方、温度一致回路１２４ｂは、第２スイッチ１２６が開放され電子回路に電力供給が停止している期間中、「Ｈｉｇｈ」と認識される電圧をＶＴＨ  ＤＥＴＯとして第２制御回路１２５に出力し続け、第２スイッチ１２６が開放を継続する。また、第２制御回路１２５から「Ｈｉｇｈ」と認識されるＶｓｗ２をＯＲ回路１１３に出力することにより、ＯＲ回路１１３は「Ｈｉｇｈ」と認識されるＶｓｗ１を出力して第１スイッチ１１４を開放し、外部ＡＣ電源２から電子回路への電力供給も停止することになる。また、Ｖｂａｔの電圧の下がり(Ｖｂａｔの脱着)Ｖｂａｔを検出したリセット一致回路１２１ｂから再度「Ｌｏｗ」のＶＥＲ  ＯＮを入力したときに、温度一致回路１２４ｂは「Ｌｏｗ」と認識される電圧をＶｂａｔ  ＤＥＴＯとして第２制御回路１２５に出力することになる。その後、「Ｌｏｗ」と認識されるＶｂａｔ  ＤＥＴＯを入力した第２制御回路１２５は、第１スイッチ１１４と第２スイッチ１２６を短絡する。
【００７０】
次に、バッテリ電圧一致回路１２２ｂ、バッテリ電流一致回路１２３ｂおよび温度一致回路１２４ｂから信号を入力する第２制御回路１２５による第２スイッチ１２６の短絡開放の切替処理について説明する。第２制御回路１２５は、少なくとも、バッテリ電圧一致回路１２２ｂから「Ｈｉｇｈ」と認識されるＶｂａｔ  ＤＥＴＯ、バッテリ電流一致回路１２３ｂから「Ｈｉｇｈ」と認識されるＩｂａｔ  ＤＥＴＯ、および、温度一致回路１２４ｂから「Ｈｉｇｈ」と認識されるＶＴＨ  ＤＥＴＯ、のいずれか１つを入力している期間には、携帯端末装置に故障有りと判定して第２スイッチ１２６を開放する制御信号Ｖｓｗ２を第２スイッチ１２６に出力して切り替える（第２制御回路１２５は、第２スイッチ１２６を開放させるときには、「Ｈｉｇｈ」と認識される電圧を制御信号Ｖｓｗ２として出力する）。一方、第２制御回路１２５は、そのいずれもが「Ｌｏｗ」と認識される信号を入力している期間には、携帯端末装置に故障無しと判定して第２スイッチ１２６を短絡する制御信号Ｖｓｗ２を、第２スイッチ１２６に出力して切り替える（第２制御回路１２５は、第２スイッチ１２６を短絡させるときには、「Ｌｏｗ」と認識される電圧を制御信号Ｖｓｗ２として出力するものとする）。第２制御回路１２５による第２スイッチ１２６の切替処理により、携帯端末装置の故障を複合的に検出することができる。さらに、第２制御回路１２５は、第２スイッチ１２６を開放あるいは短絡する制御信号Ｖｓｗ２を第２スイッチ１２６に出力するとともにＯＲ回路１１３にも同様の制御信号Ｖｓｗ２を出力する。
【００７１】
さらに、第２制御回路１２５は、バッテリ電圧一致回路１２２ｂから「Ｈｉｇｈ」と認識されるＶｂａｔ  ＤＥＴＯ、バッテリ電流一致回路１２３ｂから「Ｈｉｇｈ」と認識されるＩｂａｔ  ＤＥＴＯ、または、温度一致回路１２４ｂから「Ｈｉｇｈ」と認識されるＶＴＨ  ＤＥＴＯ、を入力したとき、出力先となった回路１２２ｂ、１２３ｂ、１２４ｂを識別する情報を第２制御回路１２５に備わるメモリ（図示せず）に記憶しておく。このように構成することにより、携帯端末装置に故障が発生した場合、後でそのメモリに記憶された情報を読み取ることによって、故障原因を特定することが容易になる。
【００７２】
続いて、外部ＡＣ電圧検出回路１１１による携帯端末装置の故障の有無の判定処理について説明する。図７に、本発明の第１実施形態の携帯端末装置による、外部ＡＣ電源２による印加時の判定処理の概要を示す。図７（ａ）は、外部ＡＣ電源２から電子回路に正常な電圧のＶａｃが印加される場合の、外部ＡＣ電圧検出回路１１１および第１制御回路１１２による処理の概要を、図７（ｂ）は、外部ＡＣ電源２から電子回路に異常な電圧のＶａｃが印加される場合の、外部ＡＣ電圧検出回路１１１および第１制御回路１１２による処理の概要を、それぞれ示している。
【００７３】
図７（ａ）を参照して、外部ＡＣ電源２から電子回路に正常な電圧のＶａｃが印加される場合の、外部ＡＣ電圧検出回路１１１および第１制御回路１１２による処理について説明する。外部ＡＣ電圧検出回路１１１は、外部ＡＣ電源２から電子回路に電力を供給する電圧値Ｖａｃを検出し、その検出した電圧値Ｖａｃが所定の数値範囲内に収まっている期間において、外部ＡＣ電源２からの電力が正常であることを示すＶａｃ  ＤＥＴを第１制御回路１１２に出力する。詳細には、外部ＡＣ電圧検出回路１１１は、２つの閾値（図７における、外部から印加されていると判定するための外部ＡＣ電圧閾値と、外部ＡＣ電圧閾値よりも数値が大きく、携帯端末装置の故障の有無を判定するための異常外部電圧閾値）により特定される数値範囲に、検出した電圧値Ｖａｃが含まれているか否かを判定する。外部ＡＣ電圧検出回路１１１は、含まれていると判定した期間中（図７（ａ）における、外部ＡＣ電圧検出ポイント以降）は、「Ｈｉｇｈ」と認識される電圧をＶａｃ  ＤＥＴとして第１制御回路１１２に出力し、一方、含まれていないと判定した期間中（図７（ａ）における、外部ＡＣ電圧検出ポイント以前）は、「Ｌｏｗ」と認識される電圧をＶａｃ  ＤＥＴとして第１制御回路１１２に出力する。
【００７４】
第１制御回路１１２は、外部ＡＣ電圧検出回路１１１から「Ｈｉｇｈ」と認識されるＶａｃ  ＤＥＴを入力したとき（図７（ａ）における外部ＡＣ電圧検出ポイント時）、その時点からタイマー（図示せず）により計時を開始する。第１制御回路１１２は、タイマーにより計時を開始した後、「Ｈｉｇｈ」と認識されるＶａｃ  ＤＥＴを外部ＡＣ電圧検出回路１１１から入力している期間が所定の時間（図７におけるｔＶａｃ  ＤＥＴで示す期間）になると、「Ｈｉｇｈ」と認識される電圧をＶａｃ  ＤＥＴＯとしてＯＲ回路１１３に出力する。第１制御回路１１２からの「Ｈｉｇｈ」を反転した結果として「Ｌｏｗ」を入力するＯＲ回路１１３は、Ｖｓｗ１「Ｌｏｗ」を出力して第１スイッチを短絡させ、ＡＣ電源端子１１に電圧Ｖａｃｏを供給する。一方、第１制御回路１１２は、タイマーにより計時を開始した後、「Ｈｉｇｈ」と認識されるＶａｃ  ＤＥＴを外部ＡＣ電圧検出回路１１１から入力している期間が所定の時間（図７におけるｔＶａｃ  ＤＥＴで示す期間）に満たないと、「Ｌｏｗ」と認識される電圧をＶａｃ  ＤＥＴＯとしてＯＲ回路１１３に出力する。第１制御回路１１２からの「Ｌｏｗ」を反転した結果として「Ｈｉｇｈ」を入力するＯＲ回路１１３は、Ｖｓｗ１「Ｈｉｇｈ」を出力して第１スイッチを開放させ、ＡＣ電源端子１１に電力を供給しない。
【００７５】
次に、図７（ｂ）を参照して、外部ＡＣ電源２から電子回路に異常な電圧のＶａｃが印加される場合の、外部ＡＣ電圧検出回路１１１および第１制御回路１１２による処理について説明する。外部ＡＣ電圧検出回路１１１は、外部ＡＣ電源２から電子回路に電力を供給するための電圧値Ｖａｃを検出し、２つの閾値（図７における、外部から印加されていると判定するための外部ＡＣ電圧閾値と、外部ＡＣ電圧閾値よりも数値が大きく、携帯端末装置の故障の有無を判定するための異常外部電圧閾値）により特定される数値範囲に、検出した電圧値Ｖａｃが含まれているか否かを判定する。外部ＡＣ電圧検出回路１１１は、含まれていると判定した期間中（図７（ｂ）における、外部ＡＣ電圧検出ポイント以降異常外部ＡＣ電圧検出ポイント以前）は、「Ｈｉｇｈ」と認識される電圧をＶａｃ  ＤＥＴとして第１制御回路１１２に出力し、一方、含まれていないと判定した期間中（図７（ｂ）における、外部ＡＣ電圧検出ポイント以前および異常外部ＡＣ電圧検出ポイント以降）は、「Ｌｏｗ」と認識される電圧をＶａｃ  ＤＥＴとして第１制御回路１１２に出力する。
【００７６】
第１制御回路１１２は、外部ＡＣ電圧検出回路１１１から「Ｈｉｇｈ」と認識されるＶａｃ  ＤＥＴを入力したとき（図７（ｂ）における外部ＡＣ電圧検出ポイント時）、その時点からタイマー（図示せず）により計時を開始する。第１制御回路１１２は、タイマーにより計時を開始した後、「Ｈｉｇｈ」と認識されるＶａｃ  ＤＥＴを外部ＡＣ電圧検出回路１１１から入力している期間が所定の時間（図７におけるｔＶａｃ  ＤＥＴで示す期間）に満たないため、「Ｌｏｗ」と認識される電圧をＶａｃ  ＤＥＴＯとしてＯＲ回路１１３に「Ｌｏｗ」出力することになる。第１制御回路１１２からの「Ｌｏｗ」を反転した結果として「Ｈｉｇｈ」を入力するＯＲ回路１１３は、Ｖｓｗ１「Ｈｉｇｈ」を出力して第１スイッチを開放させ、ＡＣ電源端子１１に電力を供給しない。
【００７７】
外部ＡＣ電源２から電子回路に印加される電圧は、正常に印加されていれば、図７（ａ）に示すように時間の経過と共に外部ＡＣ電圧閾値と異常外部ＡＣ電圧閾値との間の数値に収束するが、異常な電圧が印加されていれば、図７（ｂ）に示すように異常外部ＡＣ電圧閾値を越えた数値まで上昇する。本発明の第１実施形態の携帯端末装置における外部ＡＣ電圧検出回路１１１および第１制御回路１１２によれば、異常な電圧が印加されている場合における外部ＡＣ電圧閾値から異常外部ＡＣ電圧閾値に上昇するまでの期間、つまり、外部ＡＣ電圧閾値と異常外部ＡＣ電圧閾値との間での数値であるが異常な電圧が印加されている恐れのある期間には、外部ＡＣ電源２から電子回路に印加されることがないため、異常な電圧が電子回路に印加されることを未然に防ぐことができる。
【００７８】
ＯＲ回路１１３は、第１制御回路１１２から、反転した結果「Ｌｏｗ」と認識される信号Ｖａｃ  ＤＥＴＯおよび、第２制御回路１２５から「Ｌｏｗ」と認識される信号Ｖｓｗ２を入力すると、第１スイッチ１１４を短絡させる制御信号Ｖｓｗ１「Ｌｏｗ」を出力して第１スイッチ１１４を短絡させて、外部ＡＣ電源２から電子回路に電力を供給する。一方、ＯＲ回路１１３は、第１制御回路１１２から、反転した結果「Ｈｉｇｈ」と認識される信号Ｖａｃ  ＤＥＴＯ、または第２制御回路１２５から「Ｈｉｇｈ」と認識される信号Ｖｓｗ２の少なくとも一方を入力すると、第１スイッチ１１４を開放させる制御信号Ｖｓｗ１「Ｈｉｇｈ」を出力して第１スイッチ１１４を開放させ、外部ＡＣ電圧２から電子回路に電力を供給しない。
【００７９】
以上、本発明の第１実施形態の携帯端末装置によれば、携帯端末装置に故障が有る場合には、二次電池から電子回路への電力供給とともに外部ＡＣ電源から電子回路への電力供給もまた遮断されるため、外部電源から故障が発生した電子回路へ電力が供給されることによる誤動作、あるいは電子回路に発生し得る新たな故障を未然に防ぐことができる。
【００８０】
また、本発明の第１実施形態の携帯端末装置によれば、携帯端末装置に発生する異常動作の検出処理が異なる複数の検出回路によって、携帯端末装置の故障を複合的に検出することができる。これまでの携帯端末装置には、本発明の第１実施形態の携帯端末装置のように、異常動作を検出することに特化した異常動作検出モジュールを搭載したものはなく、例えば二次電池の異常動作を検出する検出回路は二次電池の一回路として設けられることが常であった。本発明の第１実施形態の携帯端末装置は、複数の検出回路をモジュール化することによって、様々な動作異常に対応することができる汎用性を持つことになる。また、本発明の第１実施形態の携帯端末装置は、所定の時間、動作異常を継続して検出した場合に、動作異常が携帯端末装置に発生したと判定するため、検出回路がゆらぎやノイズを含んだ検出対象となる信号によって携帯端末装置に動作異常が発生したと誤って判定することを防ぎ、結果として、携帯端末装置の故障の有無を判定する精度を向上させることができる。
【００８１】
（第２実施形態）
以下、本発明の第２実施形態の携帯端末装置について詳細に説明する。図８に、本発明の第２実施形態の携帯端末装置における機能ブロック図を示す。図２に示した本発明の第１実施形態の携帯端末装置の構成は、バッテリ電圧検出回路１２２ａ、バッテリ電流検出回路１２３ａおよび温度検出回路１２４ａに、二次電池１３から常時駆動電力が供給される構成であった。本発明の第２実施形態の携帯端末装置は、発振器１２７およびサンプリング制御回路１２８が構成として新に追加されており、発振器１２７およびサンプリング制御回路１２８が二次電池からバッテリ電圧検出回路１２２ａ、バッテリ電流検出回路１２３ａおよび温度検出回路１２４ａに供給する駆動電力を制御するものである。以下、図９に示す、本発明の第２実施形態の携帯端末装置における検出回路への電力供給タイミングを表す図を参照して、発振器１２７およびサンプリング制御回路１２８による処理を中心に説明する。なお、図８において、図２に記載した参照符号と同一の参照符号を割り当てた対象は、図２の機能ブロック図における同一対象を説明した通りであるため、説明を省略する場合がある。
【００８２】
第２スイッチ１２６が短絡され２次電池１３から電子回路への電力供給が開始されると、同時に２次電池１３から電力供給された発振器１２７は、所定の周波数によって発振出力する（発振器１２７から発振出力された信号を以後、Ｆｏｓｃと称する）。発振器１２７は、第２スイッチ１２６が短絡される度に、サンプリング制御回路１２８に発振出力する。
【００８３】
その後、リセット回路１２１ａがＶＲＳＴをリセット一致回路１２１ｂに出力し、リセット一致回路１２１ｂがＶＥＲ  ＯＮをサンプリング制御回路１２８に出力すると、ＶＥＲ  ＯＮを入力したサンプリング制御回路１２８は、リセット一致回路１２１ｂから入力したＶＥＲ  ＯＮを「Ｈｉｇｈ」と認識すれば、各検出回路による携帯端末装置における異常検出処理をさせるために各検出回路に電力の供給を開始し（異常検出処理実行期間）、一方、リセット一致回路１２１ｂから入力したＶＥＲ  ＯＮを「Ｌｏｗ」と認識している期間中には、各検出回路に電力を供給をせず「Ｈｉｇｈ」のＶＥＲ  ＯＮが入力するまで待機する（異常検出処理停止期間）。
【００８４】
サンプリング制御回路１２８による各検出回路への電力供給処理について説明する。サンプリング制御回路１２８は、各検出回路に間欠的に電力を供給する。図９では、バッテリ電圧検出回路１２２ａにはｔＶｂａｔＬの周期でｔＶａｔの期間電力を供給し（Ｓｐ１）、バッテリ電流検出回路１２３ａにはｔＩｂａｔＬの周期でｔＩａｔの期間電力を供給し（Ｓｐ２）、温度検出回路１２４ａには各サーミスタｎ毎にｔＶＴＨｎＬの周期でｔＶＴＨｎの期間電力を供給している（Ｓｐ３〜ＳｐＮ＋２）。このとき、サンプリング制御回路１２８は、各検出回路に電力を供給する周期と期間を、発振器１２７から入力するＦｏｓｃから算出している。
【００８５】
一方、サイプリング制御回路１２８から電力を供給される各検出回路は、電力を供給される周期毎に、電力を供給されている期間において、異常動作の有無を検出することになる。なお、サンプリング制御回路１２８が各検出回路に電力を供給する期間は、その検出回路に対応する一致回路がタイマーにより計時する所定の時間よりも、長い必要がある。例えば、サンプリング制御回路１２８がバッテリ電圧検出回路１２２ａに電力を供給する期間ｔＶｂａｔは、バッテリ電圧一致回路１２２ｂがタイマーにより計時する所定の時間ｔＶｂａｔＤＥＴよりも、長い必要がある。
【００８６】
このように、検出回路に電力を間欠的に供給する構成により、二次電池１３から常時検出回路に電力を供給する構成と比較して、異常動作検出に必要となる電力消費を軽減することができる。
【００８７】
なお、図９では、検出回路に電力を供給する周期および期間を各検出回路によって共通のものすることによって、検出回路に電力を供給する各検出回路に電力を供給する期間が重複しないようにしている。これにより、第２制御回路１２５は、バッテリ電圧一致回路１２２ｂ、バッテリ電流一致回路１２３ｂおよび温度一致回路１２４ｂから、Ｖｂａｔ  ＤＥＴＯ、Ｉｂａｔ  ＤＥＴＯおよびＶＴＨ  ＤＥＴＯを選択的に入力することになり、これらの信号が同時に入力されることに備えて回路規模を大きくする必要がなくなる。なお、検出回路に電力を供給する各検出回路に電力を供給する期間が重複する構成であっても、本発明の第２実施形態の携帯端末装置が目的とするところの、異常動作検出に必要となる電力消費を軽減することができる。
【００８８】
サンプリング制御回路１２８から電力を供給され、異常動作の有無を開始した各検出回路が異常動作を検出し、その各検出回路に接続された一致回路がその異常動作が所定の時間継続していると判定すると、その一致回路から「Ｈｉｇｈ」と認識される信号を入力した第２制御回路１２５が第２スイッチ１２６を開放し、電子回路への電力供給を停止することになる（異常検出処理停止期間）。その後、第２スイッチ１２６が短絡され２次電池１３から電子回路への電力供給が開始されると、上述の処理を繰り返すことになる。
【００８９】
以上、本発明の第２実施形態の携帯端末装置によれば、各検出回路に電力を間欠的に供給する構成により、二次電池１３から常時検出回路に電力を供給する構成と比較して、異常動作検出に必要となる電力消費を軽減することができる。
【００９０】
（第３実施形態）
以下、本発明の第３実施形態の携帯端末装置について詳細に説明する。図１０に、本発明の第２実施形態の携帯端末装置における機能ブロック図を示す。本発明の第３実施形態の携帯端末装置は、安定化電源１２９ａ、ＬＰＦ１２９ｂ、１２９ｃ、１２９ｄが構成として新に追加されており、二次電池からバッテリ電圧検出回路１２２ａ、バッテリ電流検出回路１２３ａおよび温度検出回路１２４ａに供給する駆動電力に含まれるノイズを軽減するものである。以下、安定化電源１２９ａ、およびＬＰＦ１２９ｂ、１２９ｃ、１２９ｄによる機能を中心に説明する。なお、図１０において、図８に記載した参照符号と同一の参照符号を割り当てた対象は、図８の機能ブロック図における同一対象を説明した通りであるため、説明を省略する場合がある。
【００９１】
近年の携帯端末装置は、低消費電力化が図られ、携帯端末装置に搭載される電子回路を駆動するための駆動電圧もまた、小さくなっている。しかしながら、高周波数帯による無線を実施する携帯端末装置において、駆動電圧が小さくなると相対的にノイズによる影響が大きくなり、駆動電圧の変動が大きくなってしまう。携帯端末装置に発生した異常動作を検出する検出回路にこのような変動が大きい駆動電圧を供給すると、検出回路の動作不安定を招き、誤った検出をしてしまうことにも繋がる。また、本発明の携帯端末装置のように二次電池１３から供給される駆動電圧によって携帯端末装置に発生した異常動作の有無を検出する場合、この駆動電圧の変動によって、正確な異常動作の有無の検出が困難であった。
【００９２】
このため、本発明の第３実施形態の携帯端末装置は、二次電池１３からの駆動電圧を安定化電源１２９ａを介してバッテリ電圧検出回路１２２ａ、バッテリ電流検出回路１２３ａおよび温度検出回路１２４ａに供給することによって、検出回路の動作不安定による誤動作を防止する構成にしている。図１０では、安定化電源１２９ａが、バッテリ電圧検出回路１２２ａ、バッテリ電流検出回路１２３ａおよび温度検出回路１２４ａに間欠的に電力を供給するサンプリング制御回路１２８に駆動電圧を供給する構成について記載している。
【００９３】
また、本発明の第３実施形態の携帯端末装置は、二次電池１３から電子回路に電力を供給するためのバッテリ配線とバッテリ電圧検出回路１２２ａとの間にＬＰＦ１２９ｂを、バッテリ配線とバッテリ電流検出回路１２３ａとの間にＬＰＦ１２９ｃ、１２９ｄを、それぞれ配置することによって、検出回路が検出する電圧からノイズの成分が除去され、携帯端末装置に発生し得る異常動作の有無を正確に検出することができる。
【００９４】
以上、本発明の第３実施形態の携帯端末装置によれば、検出回路に安定的な駆動電圧を供給することにより、検出回路の動作不安定による誤動作を防止することができる。また、検出回路が検出する電圧からノイズの成分が除去され、携帯端末装置に発生し得る異常動作の有無を正確に検出することができる。
【産業上の利用可能性】
【００９５】
本発明の携帯端末装置、異常動作検出回路および電力供給制御方法によれば、電子回路に故障が発生したときに外部電源から電子回路への電力供給を遮断することができるという効果を奏し、装置に備わる電子回路に動作異常が発生したときに、その電子回路への電力供給を停止する携帯端末装置の分野において有用である。
【図面の簡単な説明】
【００９６】
【図１】本発明の実施の形態の携帯端末装置における基本構成を表す機能ブロック図
【図２】本発明の第１実施形態の携帯端末装置における機能ブロック図
【図３】本発明の第１実施形態の携帯端末装置による、二次電池による印加時の判定処理の概要
【図４】本発明の第１実施形態の携帯端末装置による、印加電圧の判定処理の概要
【図５】本発明の第１実施形態の携帯端末装置による、印加電流の判定処理の概要
【図６】本発明の第１実施形態の携帯端末装置による、サーミスタによる判定処理の概要
【図７】本発明の第１実施形態の携帯端末装置による、外部ＡＣ電源による印加時の判定処理の概要
【図８】本発明の第２実施形態の携帯端末装置における機能ブロック図
【図９】本発明の第２実施形態の携帯端末装置における検出回路への電力供給タイミングを表す図
【図１０】本発明の第２実施形態の携帯端末装置における機能ブロック図
【図１１】二次電池からの電力供給を遮断する機能を有する、従来の携帯端末装置における機能ブロック図
【符号の説明】
【００９７】
１  携帯端末装置
１１  電子回路へのＡＣ電源端子
１１１  外部ＡＣ電圧検出回路
１１２  第１制御回路
１１３  ＯＲ回路
１１４  第１スイッチ
１２  電子回路へのバッテリ電源端子
１２１ａ  リセット回路
１２１ｂ  リセット一致回路
１２２ａ  バッテリ電圧検出回路
１２２ｂ  バッテリ電圧一致回路
１２３ａ  バッテリ電流検出回路
１２３ｂ  バッテリ電流一致回路
１２４ａ  温度検出回路
１２４ｂ  温度一致回路
１２５  第２制御回路
１２６  第２スイッチ
１２７  発振器
１２８  サンプリング制御回路
１２９ａ  安定化電源
１２９ｂ、１２９ｃ、１２９ｄ  ＬＰＦ（ローパスフィルタ）
１３  二次電池
１４１、１４２・・・１４ｎ  サーミスタ
２  外部ＡＣ電源
５  携帯端末装置
５１  ＡＣ電源端子
５２  バッテリ電源端子
５２３  バッテリ電流検出回路
５２４  温度検出回路
５２５  制御回路
５２６  スイッチ
５３  二次電池
５４１、５４２・・・５４ｎ  サーミスタ
６  外部ＡＣ電源
【図１】
2008099452.tif 000003
【図２】
2008099452.tif 000004
【図３】
2008099452.tif 000005
【図４】
2008099452.tif 000006
【図５】
2008099452.tif 000007
【図６】
2008099452.tif 000008
【図７】
2008099452.tif 000009
【図８】
2008099452.tif 000010
【図９】
2008099452.tif 000011
【図１０】
2008099452.tif 000012
【図１１】
2008099452.tif 000013